(57)【要約】【課題】経年劣化を抑制できる調光装置及びプロジェクターを提供すること。【解決手段】入射される光束の通過光量を調整する調光装置７は、光束の通過領域に挿入され、光束のうち少なくとも一部の光をそれぞれ遮蔽する第１遮光部（遮光部７３２）及び第２遮光部（遮光部７４２）を備え、第１遮光部（遮光部７３２）及び第２遮光部（遮光部７４２）のそれぞれは、通過領域内の光が入射される入射面７３２２，７４２２と、入射面７３２２，７４２２に形成され、入射される光を反射させる反射層７３２３，７４２３と、を有する。【選択図】図２
2016148819.tif 000002
【特許請求の範囲】
【請求項１】
入射される光束の通過光量を調整する調光装置であって、
前記光束の通過領域に挿入され、前記光束のうち少なくとも一部の光をそれぞれ遮蔽する第１遮光部及び第２遮光部を備え、
前記第１遮光部及び前記第２遮光部のそれぞれは、
前記通過領域内の光が入射される入射面と、
前記入射面に形成され、入射される光を反射させる反射層と、を有することを特徴とする調光装置。
【請求項２】
請求項１に記載の調光装置において、
前記反射層は、入射される光を拡散反射させることを特徴とする調光装置。
【請求項３】
請求項２に記載の調光装置において、
前記反射層は、蒸着及びアルマイト処理のいずれかにより形成されることを特徴とする調光装置。
【請求項４】
請求項１から請求項３のいずれか一項に記載の調光装置において、
前記第１遮光部及び前記第２遮光部は、前記光束の中心軸を挟んでそれぞれ配置され、前記中心軸を挟んで互いに近接する方向にそれぞれ移動して前記通過領域に挿入され、
前記入射面は、それぞれの前記中心軸側の端部が、前記中心軸側とは反対側の端部より前記光束の入射側に位置するように傾斜していることを特徴とする調光装置。
【請求項５】
請求項４に記載の調光装置において、
前記第１遮光部及び前記第２遮光部によって前記光束が最も遮蔽される全閉状態において、当該第１遮光部及び当該第２遮光部が重なり合うことを特徴とする調光装置。
【請求項６】
請求項５に記載の調光装置において、
前記全閉状態において、前記第１遮光部及び前記第２遮光部の間には、前記中心軸に対応する位置に隙間が形成されることを特徴とする調光装置。
【請求項７】
請求項４から請求項６のいずれか一項に記載の調光装置において、
駆動部と、
前記駆動部の駆動力により前記第１遮光部及び前記第２遮光部を移動させる第１移動部及び第２移動部と、を備え、
前記第１遮光部及び前記第２遮光部は、前記第１移動部及び前記第２移動部のうち、それぞれ対応する移動部に着脱可能に設けられていることを特徴とする調光装置。
【請求項８】
請求項４から請求項７のいずれか一項に記載の調光装置において、
前記第１遮光部及び前記第２遮光部が内側に配置される枠体を備え、
前記枠体は、前記第１遮光部及び前記第２遮光部に沿って流通する冷却風の流れを整流する整流部を有することを特徴とする調光装置。
【請求項９】
請求項８に記載の調光装置において、
前記枠体は、前記第１遮光部及び前記第２遮光部を挟んで前記整流部とは反対側に位置し、前記冷却風が流通する開口部が形成された第１面部を有し、
前記整流部は、前記開口部から前記第１遮光部及び前記第２遮光部に沿って流通した前記冷却風を前記光束の入射側及び出射側のいずれかに向けて流通させることを特徴とする調光装置。
【請求項１０】
請求項９に記載の調光装置において、
前記枠体は、前記第１面部に対向する第２面部を有し、
前記整流部は、前記第２面部より前記中心軸側に位置することを特徴とする調光装置。
【請求項１１】
請求項１から請求項１０のいずれか一項に記載の調光装置と、
光源装置と、
前記光源装置から出射された光束を変調する光変調装置と、
前記光変調装置により変調された光束を投射する投射光学装置と、を備え、
前記第１遮光部及び前記第２遮光部は、前記光源装置から出射されて前記光変調装置に入射される前記光束の光路上に配置されることを特徴とするプロジェクター。
【請求項１２】
請求項１１に記載のプロジェクターにおいて、
前記光源装置と前記第１遮光部及び前記第２遮光部との間に設けられ、前記反射層により反射された光を受光する受光部材を備えることを特徴とするプロジェクター。
【発明の詳細な説明】
【技術分野】
【０００１】
本発明は、調光装置及びプロジェクターに関する。
【背景技術】
【０００２】
従来、光源装置と、当該光源装置から出射された光を変調して画像情報に応じた画像を形成する光変調装置と、当該画像をスクリーン等の被投射面上に拡大投射する投射光学装置とを備えたプロジェクターが知られている。このようなプロジェクターとして、光源装置から出射された光の一部を遮蔽して、光変調装置に入射される光量を調整する調光装置を備えたプロジェクターが知られている（例えば、特許文献１参照）。
【０００３】
この特許文献１に記載のプロジェクターの調光装置は、駆動手段と、伝達手段と、筐体と、一対の遮光部と、を備える。この調光装置では、駆動手段の駆動力が、伝達手段により一対の遮光部に伝わって、当該一対の遮光部が、上記光の中心軸に対する直交方向に沿って互いに反対方向に移動される。このような一対の遮光部が、当該光の通過領域内に挿入されて、当該光の一部が遮蔽されることにより、光変調装置に入射される光の量（光量）が調整され、当該光変調装置によって形成される画像の輝度が調整される。
【先行技術文献】
【特許文献】
【０００４】
【特許文献１】特開２０１４−８５３６８号公報
【発明の概要】
【発明が解決しようとする課題】
【０００５】
近年、投射される画像の高輝度化の要望が高まり、輝度が高い光を出射する光源装置や、複数の光源装置が採用される場合が増えている。このような場合、上記光の通過領域内に一対の遮光部が挿入されると、輝度が高い光が各遮光部に入射されることとなり、当該遮光部の温度が高くなりやすく、黒化しやすくなる。そして、各遮光部が黒化すると、より光を吸収しやすくなるので、各遮光部の温度が更に上昇し、劣化が促進されやすくなるという問題がある。
【０００６】
本発明は、上記課題の少なくとも一部を解決することを目的としたものであり、劣化を抑制できる調光装置及びプロジェクターを提供することを目的の１つとする。
【課題を解決するための手段】
【０００７】
本発明の第１態様に係る調光装置は、入射される光束の通過光量を調整する調光装置であって、前記光束の通過領域に挿入され、前記光束のうち少なくとも一部の光をそれぞれ遮蔽する第１遮光部及び第２遮光部を備え、前記第１遮光部及び前記第２遮光部のそれぞれは、前記通過領域内の光が入射される入射面と、前記入射面に形成され、入射される光を反射させる反射層と、を有することを特徴とする。
【０００８】
上記第１態様によれば、第１遮光部及び第２遮光部により、上記光束の少なくとも一部の光を遮蔽する際、すなわち、光束の通過領域に第１遮光部及び第２遮光部の少なくとも一部が配置された際に、当該各遮光部の入射面に形成された反射層により、入射される光が反射される。これによれば、当該少なくとも一部の光が入射面に入射されることによる第１遮光部及び第２遮光部の温度の上昇を抑制できる他、第１遮光部及び第２遮光部の黒化を抑制できる。従って、第１遮光部及び第２遮光部の劣化を抑制でき、ひいては、調光装置の劣化を抑制でき、調光装置の長寿命化を図ることができる。
【０００９】
上記第１態様では、前記反射層は、入射される光を拡散反射させることが好ましい。
上記第１態様によれば、第１遮光部及び第２遮光部の反射層に入射された光は拡散反射される。これによれば、第１遮光部及び第２遮光部の反射層にて当該反射層に入射された光が鏡面反射される場合のように、各遮光部に対して光入射側に位置する部材に、反射層に入射された光の略全てが入射されることを抑制できる。従って、当該部材の劣化を抑制できる。
【００１０】
上記第１態様では、前記反射層は、蒸着及びアルマイト処理のいずれかにより形成されることが好ましい。
上記第１態様によれば、入射面に比較的簡易に反射層を形成できる。
【００１１】
上記第１態様では、前記第１遮光部及び前記第２遮光部は、前記光束の中心軸を挟んでそれぞれ配置され、前記中心軸を挟んで互いに近接する方向にそれぞれ移動して前記通過領域に挿入され、前記入射面は、それぞれの前記中心軸側の端部が、前記中心軸側とは反対側の端部より前記光束の入射側に位置するように傾斜していることが好ましい。
上記第１態様によれば、各遮光部の入射面が上記のように傾斜していることにより、当該入射面に入射された光が、入射面に対する入射方向とは反対方向に上記反射層によって反射されることを抑制できる。従って、例えば上記光束を出射する光源に、反射された光が戻り光となって入射されることを抑制でき、当該光源の温度上昇、ひいては、当該光源の劣化を抑制できる。
【００１２】
上記第１態様では、前記第１遮光部及び前記第２遮光部によって前記光束が最も遮蔽される全閉状態において、当該第１遮光部及び当該第２遮光部が重なり合うことが好ましい。
上記第１態様によれば、第１遮光部及び第２遮光部が全閉状態において重なり合うので、調光装置に入射される光束の略全てを遮蔽できる。これにより、調光装置をシャッター装置として用いることができる。
【００１３】
上記第１態様では、前記全閉状態において、前記第１遮光部及び前記第２遮光部の間には、前記中心軸に対応する位置に隙間が形成されることが好ましい。
なお、上記中心軸に対応する位置としては、当該中心軸上の位置を例示できる。
上記第１態様によれば、第１遮光部及び第２遮光部が全閉状態であっても、上記隙間が形成されている。これによれば、上記隙間がない場合に比べて、第１遮光部及び第２遮光部に沿って、これらを冷却する冷却風を流通させやすくすることができる。従って、第１遮光部及び第２遮光部を効果的に冷却でき、これらの劣化を抑制できる。
【００１４】
上記第１態様では、駆動部と、前記駆動部の駆動力により前記第１遮光部及び前記第２遮光部を移動させる第１移動部及び第２移動部と、を備え、前記第１遮光部及び前記第２遮光部は、前記第１移動部及び前記第２移動部のうち、それぞれ対応する移動部に着脱可能に設けられていることが好ましい。
上記第１態様によれば、第１遮光部及び第２遮光部が移動部に着脱可能に設けられている。これによれば、劣化等により、第１遮光部及び第２遮光部のうち少なくともいずれかの遮光部を交換する必要が生じた場合に、当該遮光部を移動部から取り外して交換できる。従って、調光装置のリユース性を向上させることができる。
【００１５】
上記第１態様では、前記第１遮光部及び前記第２遮光部が内側に配置される枠体を備え、前記枠体は、前記第１遮光部及び前記第２遮光部に沿って流通する冷却風の流れを整流する整流部を有することが好ましい。
上記第１態様によれば、第１遮光部及び第２遮光部を冷却した冷却風が整流部により整流される。これによれば、第１遮光部及び第２遮光部を冷却した冷却風がこれらの周辺に滞留することを抑制できるので、第１遮光部及び第２遮光部をより効果的に冷却できる。また、整流部によって、冷却風の流通方向を変更できるので、当該冷却風の流通方向を所望の方向に変更できる。
【００１６】
上記第１態様では、前記枠体は、前記第１遮光部及び前記第２遮光部を挟んで前記整流部とは反対側に位置し、前記冷却風が流通する開口部が形成された第１面部を有し、前記整流部は、前記開口部から前記第１遮光部及び前記第２遮光部に沿って流通した前記冷却風を前記光束の入射側及び出射側のいずれかに向けて流通させることが好ましい。
上記第１態様によれば、第１面部の開口部から枠体に導入された冷却風を、第１遮光部及び第２遮光部を介して整流部に向けて流通させることができる。従って、第１遮光部及び第２遮光部に沿って空気を確実に流通させることができ、これら遮光部を適切に冷却できる。
【００１７】
上記第１態様では、前記枠体は、前記第１面部に対向する第２面部を有し、前記整流部は、前記第２面部より前記中心軸側に位置することが好ましい。
上記第１態様によれば、整流部が第２面部よりも上記中心軸側に位置することにより、当該第２面部に、例えば回路やセンサー等が配置される場合であっても、上記整流部によって、当該熱を帯びた空気を第２面部に流通させづらくすることができる。従って、上記回路やセンサーが熱の影響を受けづらくすることができる。
【００１８】
本発明の第２態様に係るプロジェクターは、上述した調光装置と、光源装置と、前記光源装置から出射された光束を変調する光変調装置と、前記光変調装置により変調された光束を投射する投射光学装置と、を備え、前記第１遮光部及び前記第２遮光部は、前記光源装置から出射されて前記光変調装置に入射される前記光束の光路上に配置されることを特徴とする。
上記第２態様によれば、上記第１態様に係る調光装置と同様の効果を得ることができる。また、第１遮光部及び第２遮光部が、光源装置から光変調装置に入射される光束の光路上に配置されるので、当該光変調装置に入射される光量を確実に調整できる。従って、光変調装置により形成される画像のコントラストを向上できる。また、調光装置の長寿命化が図られることから、劣化による調光装置の交換等のメンテナンスの手間を省略できる。
【００１９】
上記第２態様では、前記光源装置と前記第１遮光部及び前記第２遮光部との間に設けられ、前記反射層により反射された光を受光する受光部材を備えることが好ましい。
上記第２態様によれば、上記受光部材が設けられることにより、光源装置と第１遮光部及び第２遮光部との間の部位に位置する部材（例えば、調光装置が配置される収納部材）に、反射層によって反射された光が入射して、当該部材が劣化することを抑制できる。
【図面の簡単な説明】
【００２０】
【図１】本発明の一実施形態に係るプロジェクターの構成を示す模式図。
【図２】上記実施形態における各遮光羽根が全閉状態にある調光装置を光の入射側から見た斜視図。
【図３】上記実施形態における各遮光羽根が全閉状態にある調光装置を光の出射側から見た斜視図。
【図４】上記実施形態における各遮光羽根が全閉状態にある調光装置を光の出射側から見た平面図。
【図５】上記実施形態における各遮光羽根が全開状態にある調光装置を光の入射側から見た斜視図。
【図６】上記実施形態における各遮光羽根が全開状態にある調光装置を光の入射側から見た平面図。
【図７】上記実施形態における各遮光羽根が全開状態にある調光装置を示す側面図。
【図８】上記実施形態における全開状態の各遮光羽根を示す断面図。
【図９】図８に示した全開状態から一部閉塞した状態の各遮光羽根を示す断面図。
【図１０】図９に示した状態から更に閉塞した状態の各遮光羽根を示す断面図。
【図１１】上記実施形態における全閉状態の各遮光羽根を示す断面図。
【図１２】上記実施形態における各遮光羽根が全閉状態にある調光装置の冷却風の流れを示す図。
【発明を実施するための形態】
【００２１】
以下、本発明の一実施形態について、図面に基づいて説明する。
［プロジェクターの概略構成］
図１は、本実施形態に係るプロジェクター１の構成を示す模式図である。
本実施形態に係るプロジェクター１は、後述する光源装置３１から出射された光を変調して画像情報に応じた画像を形成し、形成された画像をスクリーン等の被投射面（図示省略）上に拡大投射することで、当該被投射面上に画像を表示する画像表示装置である。
このようなプロジェクター１は、図１に示すように、外装筐体２と、当該外装筐体２内に収納される光学ユニット３及び冷却装置９とを備える。この他、図示を省略するが、プロジェクター１は、当該プロジェクター１を制御する制御装置、及び、当該プロジェクター１を構成する電子部品に電力を供給する電源装置を備える。
これらのうち、冷却装置９は、詳しい図示を省略するが、冷却ファンと、当該冷却ファンから送出された冷却風を後述する均一照明装置３２の下方に導くダクトとを備えて構成されている。
【００２２】
［光学ユニットの構成］
光学ユニット３は、光源装置３１及び各種装置３２〜３６と、これら各装置３１〜３６を支持する光学部品用筐体４と、を備える。
【００２３】
光源装置３１は、光源ランプ３１１及びリフレクター３１２を有し、均一照明装置３２に光束を出射する。なお、図１では、光源装置３１が１つ設けられた例を示しているが、光源装置３１の数は１つに限らず、複数の光源装置３１が設けられていてもよい。
均一照明装置３２は、光源装置３１から出射された光束の中心軸に対する直交面内の照度を均一化する。この均一照明装置３２は、第１レンズアレイ３２１、調光装置７、第２レンズアレイ３２２、偏光変換素子３２３及び重畳レンズ３２４を有する。
第１レンズアレイ３２１は、詳しい図示を省略するが、光源装置３１から出射された光束を複数の部分光束に分割する複数の第１小レンズがマトリクス状に配列された構成を有する。また、第２レンズアレイ３２２は、第１レンズアレイ３２１の各第１小レンズに応じた複数の第２小レンズがマトリクス状に配列された構成を有する。そして、第２レンズアレイ３２２及び重畳レンズ３２４は、入射される各部分光束を後述する液晶パネル３５３の画像形成領域に照射して、当該画像形成領域を均一に照明する。
【００２４】
偏光変換素子３２３は、入射された光の偏光方向を一種類に揃える。
調光装置７は、第１レンズアレイ３２１を介して第２レンズアレイ３２２に入射される光の少なくとも一部を遮蔽して、当該第２レンズアレイ３２２、ひいては、液晶パネル３５３に入射される光量を調整する。なお、調光装置７の構成については、後に詳述する。
【００２５】
色分離装置３３は、均一照明装置３２から入射される光束を、赤（Ｒ）、緑（Ｇ）及び青（Ｂ）の３つの色光に分離する。この色分離装置３３は、ダイクロイックミラー３３１，３３２及び反射ミラー３３３を有する。
リレー装置３４は、分離された３つの色光のうち、赤色光の光路上に設けられる。このリレー装置３４は、入射側レンズ３４１、リレーレンズ３４３及び反射ミラー３４２，３４４を有する。このリレー装置３４は、分離された赤色光の光路（液晶パネル３５３に到達するまでの光路）が、他の色光の光路に比べて長いため、当該赤色光の損失を抑制するものである。
【００２６】
電気光学装置３５は、分離された各色光を画像情報に応じて変調した後、変調された各色光を合成する。この電気光学装置３５は、それぞれ色光ごとに設けられる３つのフィールドレンズ３５１、３つの入射側偏光板３５２、光変調装置としての３つの液晶パネル３５３、及び、３つの出射側偏光板３５４と、変調された各色光を合成するクロスダイクロイックプリズム等の色合成装置３５５とを有する。
投射光学装置３６は、色合成装置３５５により合成された光束（画像を形成する光束）を前述の被投射面上に拡大投射する投射レンズである。
【００２７】
光学部品用筐体４は、各種光学部品を収納する溝部（図示省略）が形成され、内部に照明光軸Ａｘが設定された部品収納部材と、当該部品収納部材に形成された部品収納用の開口部を閉塞する蓋状部材とを備え、これらは合成樹脂又は金属により形成されている。そして、上記した光源装置３１、各装置３２〜３６は、上記照明光軸Ａｘに対する所定位置に位置付けられる。このため、光源装置３１が光学部品用筐体４内に収納された際には、当該光源装置３１から出射される光束の中心軸は、照明光軸Ａｘと一致する。
なお、部品収納部材内には、調光装置７にて反射された光を受光する受光部材４１が設けられている。この受光部材４１は、後述する調光装置７の反射層７３２３，７４２３（図２参照）により反射された光が入射される位置、すなわち、光学部品用筐体４内において光源装置３１と遮光羽根７３，７４との間の位置に配置されている。そして、受光部材４１は、調光装置７によって反射された光を受光する機能を有する。このような受光部材４１は、黒クロム層や黒ニッケル層が形成された金属板を例示できる。
【００２８】
［調光装置の構成］
図２〜図７は、調光装置７を示す図である。これらのうち、図２及び図５は、調光装置７を光束入射側から見た斜視図であり、図３は、調光装置７を光束出射側から見た斜視図である。また、図４は、調光装置７を光束出射側から見た図であり、図６は、調光装置７を光束入射側から見た図であり、図７は、調光装置７の側面図である。また、これらのうち、図２〜図４は、遮光羽根７３，７４が全閉状態（遮光量が最も多い状態であり、各遮光羽根７３,７４が重なった状態）にある調光装置７を示している。また、図５〜図７は、遮光羽根７３，７４が全開状態（遮光量が最も少ない状態であり、各遮光羽根７３，７４を最も離間させた状態）にある調光装置７を示している。
調光装置７は、前述のように、第１レンズアレイ３２１から第２レンズアレイ３２２に入射される光の少なくとも一部を遮蔽して、上記液晶パネルに入射される光の光量を調整する機能を有し、当該光の全てを遮蔽する場合にはシャッター装置としても機能する。この調光装置７は、図２〜図７に示すように、枠体７１と、駆動部７２と、一対の遮光羽根７３，７４と、センサー７５と、整流部材７６を備える。
【００２９】
なお、以下の説明にて、光源装置３１から出射された光束の進行方向をＺ方向とし、当該Ｚ方向に直交する方向のうち、鉛直方向とは反対方向（上方に向かう方向）をＹ方向とし、Ｚ方向基端側から見て左から右に向かう方向をＸ方向とする。なお、光束の進行方向は、ダイクロイックミラー３３１等により屈曲されるが、Ｘ、Ｙ及びＺ方向は、本明細書では、光源装置３１から出射された時点での光束の進行方向に基づいて設定されるものとする。
また、例えば「ある構成が他の構成に対するＺ方向側に位置する」との記載は、当該構成が他の構成に対して＋Ｚ方向側（Ｚ方向先端側）に位置することを示し、「ある構成が他の構成のＺ方向とは反対側に位置する」との記載は、当該構成が他の構成に対して−Ｚ方向側（Ｚ方向基端側）に位置することを示す。Ｘ方向及びＹ方向においても同様である。また、以下、調光装置７を通過する光束の中心軸を照明光軸Ａｘとして説明する。
【００３０】
［枠体の構成］
枠体７１は、図２及び図５〜図７に示すように、調光装置７の筐体として機能するものであり、駆動部７２、遮光羽根７３，７４及びセンサー７５が取り付けられる。
この枠体７１は、底面部７１１（開口部）、天面部７１２（延出部、整流部、整流部材）、ガイド部７１３及び側面部７１４（取付部）を有し、これらにより、枠体７１は、内部が中空な略四角柱状に形成される。
【００３１】
底面部７１１は、図２〜図５に示すように、枠体７１におけるＹ方向とは反対側の一部を構成し、側面部７１４のＹ方向とは反対方向側に接続される。当該底面部７１１の略中央部分には、開口部７１１１が形成されている。この開口部７１１１は、後述する天面部７１２の整流部７１２２に対向する位置に遮光羽根７３，７４を挟んで配置され、当該開口部７１１１から上記冷却装置９からの冷却風がＹ方向に向けて供給される。すなわち、底面部７１１は、本発明の第１面部に相当する。
【００３２】
天面部７１２は、図２及び図４〜図６に示すように、枠体７１におけるＹ方向側の一部を構成する。この天面部７１２は、延出部７１２１、整流部７１２２及び開口部７１２３を有する。
延出部７１２１は、天面部７１２におけるＺ方向とは反対側の端部からＹ方向とは反対側に延出する部位である。この延出部７１２１の略中央部分は、Ｚ方向に折り曲げられた整流部７１２２を形成し、折り曲げられた部位に、開口部７１２３が形成されている。
整流部７１２２は、上記底面部７１１の開口部７１１１を介して枠体７１の内側に導入され、遮光部７３２，７４２に沿って流通した冷却風の流れを整流する機能を有する。この整流部７１２２は、Ｙ方向とは反対側の端部からＹ方向側に向かうに従ってＺ方向側に傾斜している。すなわち、整流部７１２２のＹ方向側の端部は、Ｙ方向とは反対側の端部（開口部７１２３の端部）よりＺ方向側に位置する。このような整流部７１２２により、遮光部７３２，７４２に沿ってＹ方向に流通した冷却風は、Ｚ方向に流通方向が変更される。すなわち、天面部７１２は、本発明の第２面部に相当する。
【００３３】
天面部７１２のＹ方向側の面における略中央部分には、図２及び図５〜図７に示すように、センサー７５が配置され、当該センサー７５を避けるように、整流部材７６が設けられている。
整流部材７６は、整流部７１２２によって流通方向が変更された冷却風の流れを整流する機能を有する。この整流部材７６は、天面部７１２に沿う部位と、当該天面部７１２におけるＺ方向側の端部に応じた位置にて折り曲げられてＺ方向側で、かつ、Ｙ方向側に延出する部位とを有する略Ｌ字状に形成されている。このような整流部材７６により、上記整流部７１２２によってＺ方向に流通される冷却風が、熱を帯びて上昇する際に、当該整流部材７６に沿ってＺ方向側に向かうようになる。なお、上記整流部７１２２及び整流部材７６による冷却風の整流方向については、後述する。
【００３４】
ガイド部７１３は、図２〜図６に示すように、枠体７１におけるＸ方向側の一部を構成する。このガイド部７１３は、Ｙ方向に延びる棒状の部材により構成されており、Ｙ方向側の端部が天面部７１２に接続され、Ｙ方向とは反対方向側の端部が底面部７１１に接続されている。すなわち、ガイド部７１３は、側面部７１４に対向する位置に後述する遮光羽根７３，７４を挟んで設けられる。このガイド部７１３には、当該遮光羽根７３，７４の移動部７３１，７４１が摺動可能に装着される。
【００３５】
側面部７１４は、図３、図４、図６及び図７に示すように、枠体７１におけるＸ方向とは反対側の一部を構成する。この側面部７１４は、Ｘ方向とは反対側の面に、駆動部７２が取り付けられる取付部７１４１を有する。
また、側面部７１４におけるＸ方向側の面には、図２及び図５に示すように、照明光軸Ａｘに対する直交方向であるＹ方向に沿うガイド溝７１４２，７１４３が形成されている。これらガイド溝７１４２，７１４３のうち、Ｙ方向とは反対側に位置するガイド溝７１４２は、ガイド溝７１４３に対してＺ方向とは反対方向側に形成されている。そして、これらガイド溝７１４２，７１４３には、後述する遮光羽根７３，７４の一部が挿入され、当該ガイド溝７１４２，７１４３は、当該遮光羽根７３，７４のＹ方向に沿う移動を案内する。
【００３６】
［駆動部の構成］
駆動部７２は、遮光羽根７３，７４を移動させる駆動力を発生させる。この駆動部７２は、図３、図４、図６及び図７に示すように、ステッピングモーター等のモーター７２１と、当該モーター７２１の駆動力を伝達して移動部７３１，７４１を移動させるギア等の伝達部（図示省略）と、を有する。
モーター７２１は、ケーブルＣ１を介して上記制御装置から入力される駆動信号に応じて駆動する。
伝達部は、遮光羽根７３，７４の移動部７３１，７４１を支持するとともに、モーター７２１によって発生した駆動力を当該移動部７３１，７４１に伝達して、当該移動部７３１，７４１を上記ガイド溝７１４２，７１４３に沿って移動させる。なお、本実施形態では、伝達部は、取付部７１４１及び側面部７１４内に収納されている。
【００３７】
［遮光羽根の構成］
遮光羽根７３，７４は、図２〜図７に示すように、第１レンズアレイ３２１から出射された光の中心軸（すなわち照明光軸Ａｘ）を中心として対称配置され、駆動部７２により互いに近接又は離間する方向に同じ移動量で移動する。すなわち、各遮光羽根７３，７４は、当該中心軸を中心に互いに対向して配置され、換言すると、当該中心軸を挟んでそれぞれ配置されている。
これらのうち、遮光羽根７３は、遮光羽根７４に対してＹ方向側に位置する。これら遮光羽根７３，７４は、移動部７３１，７４１と、当該移動部７３１，７４１に対して光出射側（Ｚ方向側）に位置し、当該移動部７３１，７４１にねじＳ１，Ｓ２により取り付けられる遮光部７３２，７４２と、を有する。
なお、第１レンズアレイ３２１は、光源装置３１から出射された光束を複数の部分光束に分割して出射しているが、説明上、複数の部分光束全体の中心軸を照明光軸Ａｘとしている。
【００３８】
［移動部の構成］
移動部７３１，７４１は、それぞれ本発明の第１移動部及び第２移動部に相当し、板金を折曲加工して形成された略Ｕ字状を有する板状体であり、長手方向がＸ方向に沿うように支持される。具体的に、移動部７３１，７４１の側面部７１４側（Ｘ方向とは反対方向側）の端部７３１１，７４１１は、図２及び図４〜図６に示すように、当該側面部７１４のガイド溝７１４２，７１４３を介して上記駆動部７２の伝達部に固定される。
一方、移動部７３１，７４１のガイド部７１３側（Ｘ方向側）の端部７３１２，７４１２は、ガイド部７１３を挟む形状に形成されている。これら端部７３１２，７４１２が、ガイド部７１３をＺ方向側及びＺ方向とは反対側から挟むことにより、移動部７３１，７４１が当該ガイド部７１３に沿う方向（Ｙ方向に沿う方向）に移動可能になっている。
【００３９】
また、移動部７３１，７４１には、当該移動部７３１，７４１に遮光部７３２，７４２を取り付けるねじＳ１，Ｓ２が螺合されるねじ孔（図示省略）が形成されている。すなわち、遮光部７３２，７４２は、移動部７３１，７４１に着脱可能に設けられている。
このように、一方の端部７３１１，７４１１が上記ガイド溝７１４２，７１４３内の上記伝達部に支持され、他方の端部７３１２，７４１２が、ガイド部７１３に摺動可能に係合された状態にて、駆動部７２が駆動されることにより、伝達部を介して駆動部７２の駆動力が移動部７３１，７４１に伝達されて、当該移動部７３１，７４１がＹ方向に沿って互いに対向する方向に移動される。
【００４０】
［遮光部の構成］
遮光部７３２，７４２は、それぞれ本発明の第１遮光部及び第２遮光部に相当し、板金を折曲加工されて形成されている。これら遮光部７３２，７４２は、図２〜図６に示すように、移動部７３１，７４１に対して光入射側に配置され、上記駆動部７２による移動部７３１，７４１の移動に伴って、光源装置３１から第１レンズアレイ３２１を介して第２レンズアレイ３２２に入射される光束の通過領域内に挿入される。これにより、当該光束の少なくとも一部の光が遮蔽され、上記液晶パネル３５３に入射される光の光量が調整される。
【００４１】
これら遮光部７３２，７４２のうち、遮光部７３２は、図２〜図４及び図６に示すように、遮光部本体７３２１（入射面７３２２、反射層７３２３）、接続部７３２４、固定部７３２５を有する。これらのうち、遮光部本体７３２１は、図４に示すように、Ｚ方向とは反対側から見てＵ字状の移動部７３１の凹部を覆うように配置される。
また、これらのうち、接続部７３２４は、遮光部本体７３２１におけるＸ方向の両端からＺ方向に延出した部分であり、固定部７３２５は、接続部７３２４におけるＺ方向側の端縁から延出し、かつ、ＸＹ平面に沿う部分である。この固定部７３２５には、図２に示すように、上記移動部７３１に遮光部７３２を固定するねじＳ１が挿通する孔部７３２６が形成されている。
接続部７３２４は、固定部７３２５の端部からＺ方向とは反対方向側に延出している。この接続部７３２４は、Ｘ方向側から見て、Ｙ方向に向かうに従って、上記Ｚ方向とは反対方向側に延出している。すなわち、接続部７３２４のＸ方向側から見たＺ方向の寸法は、Ｙ方向に向かうに従って大きくなっている。
【００４２】
遮光部本体７３２１は、上記接続部７３２４のＺ方向とは反対方向側の端部に固定されている。この遮光部本体７３２１は、光束の中心軸（上記照明光軸Ａｘと同じ）側の端部が、当該中心軸側とは反対側の端部より光束の入射側に位置するように傾斜している。すなわち、遮光部本体７３２１は、Ｙ方向側の端部がＹ方向とは反対方向側の端部よりＺ方向とは反対側に位置するように傾斜している。
また、詳しくは後述するが、遮光部７３２が移動部７３１に固定された際に、遮光部本体７３２１におけるＹ方向とは反対側の端部と固定部７３２５の端部との間には、隙間Ｇ１が形成される（図１２参照）。
更に、遮光部本体７３２１のＹ方向側の端部は、図２、図５及び図６に示すように、階段状に形成されている。具体的に、遮光部本体７３２１のＹ方向側の端部は、中央部分が最もＹ方向側に突出し、当該中央部分からＸ方向における両端に向かうに従って突出量が小さくなるように、段差を持った山型形状に形成されている。
【００４３】
これら遮光部７３２，７４２のうち、遮光部７４２は、図２〜図４及び図６に示すように、遮光部本体７４２１（入射面７４２２、反射層７４２３）、接続部７４２４、固定部７４２５を有する。これらのうち、遮光部本体７４２１は、図４に示すように、Ｚ方向とは反対側から見てＵ字状の移動部７４１の凹部を覆うように配置される。
また、これらのうち、接続部７４２４は、遮光部本体７４２１におけるＸ方向の両端からＺ方向に延出した部分であり、固定部７４２５は、接続部７４２４におけるＺ方向側の端縁から延出し、かつ、ＸＹ平面に沿う部分である。この固定部７４２５には、図２に示すように、上記移動部７４１に遮光部７４２を固定するねじＳ２が挿通する孔部７４２６が形成されている。
接続部７４２４は、固定部７４２５の端部からＺ方向とは反対方向側に延出している。この接続部７４２４は、Ｘ方向側から見て、Ｙ方向とは反対方向に向かうに従って、上記Ｚ方向とは反対方向側に延出している。すなわち、接続部７４２４のＸ方向側から見たＺ方向の寸法は、Ｙ方向とは反対方向に向かうに従って大きくなっている。
【００４４】
遮光部本体７４２１は、上記接続部７４２４のＺ方向とは反対方向側の端部に固定されている。この遮光部本体７４２１は、光束の中心軸（上記照明光軸Ａｘと同じ）側の端部が、当該中心軸側とは反対側の端部より光束の入射側に位置するように傾斜している。すなわち、遮光部本体７４２１は、Ｙ方向とは反対側の端部がＹ方向側の端部よりＺ方向とは反対側に位置するように傾斜している。
また、詳しくは後述するが、遮光部７４２が移動部７４１に固定された際に、遮光部本体７４２１におけるＹ方向とは反対側の端部と固定部７４２５の端部との間には、隙間Ｇ２が形成される（図１２参照）。
更に、遮光部本体７４２１のＹ方向とは反対側の端部は、図２、図５及び図６に示すように、階段状に形成されている。具体的に、遮光部本体７４２１のＹ方向と反対側の端部は、中央部分が最もＹ方向とは反対側に突出し、当該中央部分からＸ方向における両端に向かうに従って突出量が小さくなるように、段差を持った山型形状に形成されている。
【００４５】
また、遮光部本体７４２１のＸ方向の幅寸法は、上記遮光部本体７３２１のＸ方向の幅寸法より小さい。これにより、遮光羽根７３，７４が全閉状態にある場合、遮光部７４２は、図２に示すように、遮光部７３２の内側に入りこむ。これにより、遮光部７３２及び遮光部７４２が重なり合うので、光源装置３１から出射された光束を確実に遮蔽できる。
このような遮光部７３２，７４２は、本実施形態ではアルミニウムにより形成され、これにより、遮光部７３２，７４２は軽量化が図られている。しかしながら、これに限らず、遮光部７３２，７４２は、ステンレス鋼等の他の材料により形成されていてもよい。
【００４６】
［反射層の構成］
反射層７３２３は、遮光部本体７３２１における光入射側の面であり、上記光束の通過領域内に遮光部本体７３２１が挿入された際に、当該光束の少なくとも一部の光が入射される入射面７３２２に形成されている。同様に、反射層７４２３も、遮光部本体７４２１における入射面７４２２に形成されている。
これら反射層７３２３，７４２３は、入射された光を拡散反射（乱反射）させる機能を有する。このような反射層７３２３，７４２３は、上記入射面７３２２，７４２２にナノメートル単位の増反射層を蒸着することにより形成される。このようにして、反射層７３２３，７４２３は、上記入射面７３２２，７４２２におけるＺ方向とは反対側の全面、すなわち、光入射側の全面に形成される。
これら反射層７３２３，７４２３により、遮光部７３２，７４２に入射された光（入射面７３２２，７４２２に入射される光）は、Ｚ方向とは反対側に拡散反射されるので、光を遮蔽することによる遮光部７３２，７４２の温度上昇が抑制される。
【００４７】
［調光装置による遮光］
図８は、遮光羽根７３，７４が全開状態にある調光装置７の断面図である。
遮光羽根７３，７４が全開状態（遮光量が最少となる状態であり、遮光羽根７３，７４を最も離間させた状態）にある場合には、図８に示すように、第１レンズアレイ３２１から出射された光の通過領域内に、各遮光羽根７３，７４（遮光部７３２，７４２）が位置しない。すなわち、全開状態では、当該光は遮蔽されず、第１レンズアレイ３２１から出射された光束のほぼ全てが第２レンズアレイ３２２に入射され、上記液晶パネル３５３に入射される光量は最大値となる。
【００４８】
図９は、図８の全開状態から光を遮蔽する方向に遮光羽根７３，７４が動いた場合の調光装置７を示す断面図である。
調光装置７が図８に示す状態にある場合に、上記制御部の制御により、駆動部７２が駆動して、移動部７３１がＹ方向に移動し、移動部７４１がＹ方向とは反対方向に移動すると、図９に示す状態となる。
遮光羽根７３，７４が一部閉塞状態（図８の状態より遮光量が大きい状態であり、遮光羽根７３，７４が図８の状態より離間していない状態）にある場合には、図９に示すように、第１レンズアレイ３２１から出射された光の通過領域内に、各遮光羽根７３，７４（遮光部７３２，７４２）の上記突出部分（山型の段差部分）が位置する。これにより、第１レンズアレイ３２１から出射された光束の一部が遮光部７３２，７４２の反射層７３２３，７４２３により拡散反射される。従って、第１レンズアレイ３２１から出射された光束の一部が第２レンズアレイ３２２に入射され、上記液晶パネル３５３に入射される光量は、図８に示す状態より少なくなる。
【００４９】
図１０は、図９に示した状態から光を遮蔽する方向に遮光羽根７３，７４が更に動いた場合の調光装置７を示す断面図である。
調光装置７が図９に示す状態にある場合に、駆動部７２が駆動して、移動部７３１が更にＹ方向に移動し、移動部７４１が更にＹ方向と反対方向に移動すると、調光装置７は、図１０に示す状態になる。
遮光羽根７３，７４が一部開放状態（図９の状態より遮光量が大きい状態であり、遮光羽根７３，７４が図９の状態より離間していない状態）にある場合には、図１０に示すように、第１レンズアレイ３２１から出射された光の通過領域内に、各遮光羽根７３，７４（遮光部７３２，７４２）の略全部が位置する。これにより、第１レンズアレイ３２１から出射された光束のほとんどが遮光部７３２，７４２の反射層７３２３，７４２３により拡散反射される。従って、第１レンズアレイ３２１から出射された光束の一部が第２レンズアレイ３２２に入射され、上記液晶パネル３５３に入射される光量は、図９に示す状態より少なくなる。
【００５０】
図１１は、遮光羽根７３，７４が全閉状態にある場合の調光装置７を示す断面図である。
調光装置７が図１０に示す状態にある場合に、上記制御部の制御により、駆動部７２が駆動して、移動部７３１がＹ方向に移動し、移動部７４１がＹ方向とは反対方向に移動すると、図１１に示す状態となる。
遮光羽根７３，７４が全閉状態にある場合には、図１１に示すように、第１レンズアレイ３２１から出射された光束の通過領域内に、遮光部７３２，７４２がそれぞれ配置され、これらは、当該光の中心軸（照明光軸Ａｘ）とそれぞれ交差する。
また、全閉状態では、Ｚ方向とは反対側から見て、遮光部７３２及び遮光部７４２は、互いに重なるように配置される。具体的に、遮光部７３２における遮光部７４２側の端部は、遮光部７４２における遮光部７３２側の端部より遮光部７４２側で、かつ、光入射側に位置する。換言すると、遮光部７４２における遮光部７３２側の端部は、遮光部７３２における遮光部７４２側の端部より遮光部７３２側で、かつ、光入射側とは反対側（Ｚ方向側）に位置する。
また、遮光部７４２と、遮光部７３２との間において、上記中心軸上の位置には、隙間Ｇ２が形成されている。すなわち、遮光部７３２と遮光部７４２とは、全閉状態において上記光束の中心軸上（照明光軸Ａｘ上）に隙間Ｇ２を有する。
【００５１】
このように、遮光部７３２と遮光部７４２とが重なっているので、第１レンズアレイ３２１から出射された光束のほぼ全てが、入射面７３２２，７４２２に入射されることとなり、当該入射面７３２２，７４２２に形成された反射層７３２３，７４２３によって、当該光の略全てがＺ方向とは反対側に拡散反射される。これにより、上記液晶パネル３５３に入射される光量は最小値となる。従って、調光装置７は、遮光羽根７３，７４により、確実に第１レンズアレイ３２１から出射された光を遮光できるので、当該調光装置７をシャッター装置として用いることもできる。
なお、上記受光部材４１は、光学部品用筐体４内において、反射層７３２３，７４２３によって反射された光が入射される位置に配置されている。これにより、当該反射層７３２３，７４２３によって拡散反射された光は、上記受光部材４１により吸収される。
【００５２】
［調光装置を流通する冷却風の流れ］
図１２は、遮光羽根７３，７４が全閉状態にある場合の冷却風の流れを示す図である。
上記冷却装置９（図１参照）から送出された冷却風は、均一照明装置３２の各光学部品を冷却する。
これらのうち、調光装置７に送風された冷却風は、図１２に示すように、底面部７１１に形成された開口部７１１１を介してＡｒ１方向（Ｙ方向）に沿って流通する。
【００５３】
上記Ａｒ１方向に沿って流通した空気のうち、一部の冷却風は、Ａｒ２方向に流通し、遮光部７３２の入射面７３２２に沿って流通し、他の一部の冷却風は、遮光部本体と移動部７３１との間に形成された隙間Ｇ１を通るＡｒ３方向に流通する。
Ａｒ３方向に流通した冷却風のうち、一部の冷却風は、遮光部７３２と遮光部７４２との間に形成された隙間Ｇ２を通るＡｒ４方向に流通し、他の一部の冷却風は、遮光部７４２の遮光部本体における光出射側の端面（Ｚ方向側の端面）に沿うＡｒ５方向に流通する。
【００５４】
上記Ａｒ４方向に流通した冷却風は、上記Ａｒ２方向に流通した冷却風と合流し、更にＹ方向側に流通する。これら冷却風は、上記延出部７１２１に形成された整流部７１２２によって、流通方向がＺ方向側に変更されてＡｒ６方向に流通し、更に、整流部材７６による整流作用によって、Ｙ方向側で、かつ、Ｚ方向側に流通する。
上記Ａｒ５方向に流通した冷却風は、遮光羽根７４における遮光部本体７４２１と移動部７４１との間に形成された隙間Ｇ１を通ってＹ方向側に流通し、上記Ａｒ６方向に流通する冷却風と合流し、整流部材７６に沿って流通した後、調光装置７外に排出される。
このように、冷却風が流通することによって、各遮光羽根７３，７４が冷却される。
なお、上記説明では、各遮光羽根７３，７４が全閉状態にある場合での冷却風の流路について説明したが、各遮光羽根７３，７４が全開状態等の他の配置状態にある場合でも、同様に冷却風が流通して、これら遮光羽根７３，７４が冷却される。
【００５５】
また、上述したように、遮光羽根７３，７４が全閉状態にある場合、遮光部７４２は、図２に示すように、遮光部７３２の内側に入りこむ。換言すると、遮光羽根７３，７４が全閉状態にある場合、遮光部７３２は、遮光部７４２より光源装置３１側（Ｚ方向とは反対側）にあって、より多くの光を遮光することになる。ここで、遮光部７３２が遮光部７４２よりＺ方向とは反対側にあることにより、上記Ａｒ１方向に沿って流通した空気は、遮光部７３２の両面に沿って流通し（上記Ａｒ２及びＡｒ４方向）、遮光量の大きい遮光部７３２を効果的に冷却することができる。
【００５６】
［実施形態の効果］
以上説明した本実施形態に係るプロジェクター１によれば、以下の効果がある。
本実施形態によれば、遮光部７３２，７４２により、上記光束の少なくとも一部の光を遮蔽する際、すなわち、光束の通過領域に遮光部７３２，７４２の少なくとも一部が配置された際に、当該各遮光部７３２，７４２の入射面７３２２，７４２２に形成された反射層７３２３，７４２３により、入射される光が反射される。これによれば、当該少なくとも一部の光が入射面７３２２，７４２２に入射されることによる遮光部７３２，７４２の温度の上昇を抑制できる他、遮光部７３２，７４２の黒化を抑制できる。従って、遮光部７３２，７４２の劣化を抑制でき、ひいては、調光装置７の劣化を抑制でき、調光装置７の長寿命化を図ることができる。
【００５７】
遮光部７３２，７４２の反射層７３２３，７３４３に入射された光は拡散反射される。これによれば、遮光部７３２，７４２の反射層７３２３，７４２３にて当該反射層７３２３，７４２３に入射された光が鏡面反射される場合のように、各遮光部７３２，７４２に対して光入射側に位置する部材（例えば、光源装置３１）に、反射層７３２３，７４２３に入射された光の略全てが入射されることを抑制できる。従って、光源装置３１（光源ランプ３１１）の劣化を抑制できる。
また、反射層７３２３，７４２３は、蒸着より形成されるので、入射面７３２２，７４２２に比較的簡易に反射層７３２３，７４２３を形成できる。
【００５８】
各遮光部７３２，７４２の入射面７３２２，７４２２が上記のように傾斜していることにより、当該入射面７３２２，７４２２に入射された光が、入射面７３２２，７４２２に対する入射方向とは反対方向（Ｚ方向とは反対方向）に上記反射層７３２３，７４２３によって反射されることを抑制できる。従って、例えば上記光束を出射する光源装置３１に、反射された光が戻り光となって入射されることを抑制でき、当該光源装置３１の温度上昇、ひいては、光源ランプ３１１の劣化を抑制できる。
【００５９】
遮光部７３２，７４２が全閉状態において重なり合うので、調光装置７に入射される光束の略全てを遮蔽できる。これにより、調光装置７をシャッター装置として用いることができる。
【００６０】
遮光部７３２，７４２が全閉状態であっても、上記隙間Ｇ２が形成されている。これによれば、上記隙間Ｇ２がない場合に比べて、遮光部７３２，７４２に沿って、これらを冷却する冷却風を流通させやすくすることができる。従って、遮光部７３２，７４２を効果的に冷却でき、これらの劣化を抑制できる。
【００６１】
遮光部７３２，７４２が移動部７３１，７４１に着脱可能に設けられている。これによれば、劣化等により、遮光部７３２，７４２のうち少なくともいずれかの遮光部７３２，７４２を交換する必要が生じた場合に、当該遮光部７３２，７４２を移動部７３１，７４１から取り外して交換できる。従って、調光装置７のリユース性を向上させることができる。
【００６２】
遮光部７３２，７４２を冷却した冷却風が整流部７１２２により整流される。これによれば、遮光部７３２，７４２を冷却した冷却風がこれらの周辺に滞留することを抑制できるので、遮光部をより効果的に冷却できる。また、整流部７１２２によって、冷却風の流通方向を変更できるので、当該冷却風の流通方向を所望の方向に変更できる。
【００６３】
底面部７１１の開口部７１１１から枠体７１に導入された冷却風を、遮光部７３２，７４２を介して整流部７１２２に向けて流通させることができる。従って、遮光部７３２，７４２に沿って空気を確実に流通させることができ、これら遮光部７３２，７４２を適切に冷却できる。
【００６４】
整流部７１２２が天面部７１２よりも照明光軸Ａｘ側に位置することにより、当該天面部７１２に、センサー７５が配置される場合であっても、上記整流部７１２２によって、当該熱を帯びた空気を天面部７１２に流通させづらくすることができる。従って、上記センサー７５が熱の影響を受けづらくすることができる。
【００６５】
遮光部７３２，７４２が、光源装置３１から液晶パネル３５３に入射される光束の光路上に配置されるので、当該液晶パネル３５３に入射される光量を確実に調整できる。従って、液晶パネル３５３により形成される画像のコントラストを向上できる。また、調光装置７の長寿命化が図られることから、劣化による調光装置７の交換等のメンテナンスの手間を省略できる。
【００６６】
受光部材４１が設けられることにより、光源装置３１と遮光部７３２，７４２との間の部位に位置する部材（例えば、調光装置７が配置される収納部材）に、反射層７３２３，７４２３によって反射された光が入射して、当該部材が劣化することを抑制できる。
【００６７】
［実施形態の変形］
本発明は前述の実施形態に限定されるものではなく、本発明の目的を達成できる範囲での変形、改良等は本発明に含まれるものである。
上記実施形態では、遮光部７３２，７４２のＺ方向とは反対方向側の面に入射される光を拡散反射する反射層７３２３，７４２３を設けることとした。しかしながら、本発明は、これに限らない。例えば、これら反射層７３２３，７４２３は、入射された光を鏡面反射させる反射層であってもよい。
【００６８】
上記実施形態では、反射層７３２３，７４２３は、入射面７３２２，７４２２にナノメートル単位の増反射層を蒸着することにより形成されることとした。しかしながら、本発明は、これに限らない。例えば、遮光部７３２,７４２のＺ方向とは反対方向側の面にアルマイト処理を行うことにより、反射層７３２３，７４２３を形成してもよい。また、上記反射層７３２３,７４２３は、上記遮光部７３２，７４２のＺ方向とは反対方向側の面にのみ形成することとした。しかしながら、本発明は、これに限らない。例えば、遮光部７３２，７４２の両面に反射層７３２３，７４２３を形成してもよい。
【００６９】
上記実施形態では、遮光部７３２と遮光部７４２とは、全閉状態において上記光束の光軸上（照明光軸Ａｘ上）に隙間Ｇ２を有することとした。しかしながら、本発明は、これに限らない。例えば、遮光部７３２と遮光部７４２とは、全閉状態において当接するようにしてもよい。この場合、遮光部７３２，７４２は、開口部７１１１から供給される冷却風の流路を形成しないが、反射層７３２３，７４２３が遮光部７３２，７４２のＺ方向とは反対側の面に形成されていれば、当該遮光部７３２，７４２の温度が上昇しないので、このような構成でもよい。
【００７０】
上記実施形態では、遮光部本体７３２１，７４２１は、照明光軸Ａｘ側の端部が反対側の端部より光束の入射側に位置するように傾斜することとした。しかしながら、本発明は、これに限らない。例えば、遮光部本体７３２１，７４２１は、傾斜していなくてもよい。また、当該遮光部本体７３２１，７４２１は、照明光軸Ａｘ側とは反対側の端部が当該照明光軸Ａｘ側の端部より光束の入射側に位置するように傾斜していてもよい。すなわち、反射層７３２３，７４２３が形成されていれば、当該遮光部本体７３２１，７４２１は、いずれの方向に傾斜していてもよい。
【００７１】
上記実施形態では、遮光部７３２，７４２は、光束の光軸（照明光軸Ａｘ）に直交する方向（Ｙ方向に沿う方向）で、かつ、互いに反対方向に移動する構成とした。しかしながら、本発明は、これに限らない。例えば、遮光部７３２，７４２がそれぞれ軸支され、当該遮光部７３２，７４２が照明光軸Ａｘを挟んで互いに近接する方向に回動する構成としてもよい。すなわち、遮光部７３２，７４２は、照明光軸Ａｘを挟んで互いに近接する方向に移動する構成であればよい。このような構成であっても、上記実施形態と同様の効果を奏することができる。
【００７２】
上記実施形態では、全閉状態において遮光部７３２と遮光部７４２とがＺ方向と反対方向側から見て、重なるように配置されることとした。しかしながら、本発明は、これに限らない。すなわち、遮光部７３２，７４２のそれぞれが重ならなくても、第１レンズアレイ３２１から出射された光を遮蔽できればよい。この場合、遮光部本体７３２１，７４２１の照明光軸Ａｘ側の端部がＸ方向に沿う直線状に形成されてもよいし、のこぎり刃状に形成されてもよい。これによれば、全閉状態において遮光部７３２，７４２がＺ方向からみて重ならなくても、第１レンズアレイ３２１から出射された光を遮蔽（調光）できる。
【００７３】
上記実施形態では、遮光部７３２，７４２は、ねじＳ１，Ｓ２により移動部７３１，７４１に着脱可能に設けられることとした。しかしながら、本発明は、これに限らない。例えば、スライド部材等が設けられ、当該スライド部材に挿抜されることにより固定されてもよい。また、例えば、遮光部７３２，７４２は、移動部７３１，７４１に固定され、取外しできなくてもよい。この場合、遮光部７３２，７４２は、移動部７３１，７４１と一体として形成されていてもよい。これによれば、遮光羽根７３，７４の部品点数を削減できる。
【００７４】
上記実施形態では、枠体７１の底面部７１１には、開口部７１１１が形成されていることとした。しかしながら、本発明は、これに限らない。例えば、底面部７１１には、開口部７１１１が設けられていなくてもよい。この場合、冷却装置９のダクト（図示省略）から送出される冷却風が遮光羽根７３，７４に供給されるように、当該ダクトから供給される冷却風の角度を調整すればよい。
【００７５】
上記実施形態では、受光部材４１を第１レンズアレイ３２１と調光装置７との間に配置することした。しかしながら、本発明は、これに限らない。すなわち、受光部材４１の配置は、上記位置に限らない。また、受光部材４１を設けなくてもよい。この場合であっても、反射層７３２３，７４２３が遮光部７３２，７４２に形成されていれば、光源装置３１の光源ランプ３１１に戻り光が反射される可能性が低いので、遮光羽根７３，７４の劣化を抑制できる。
【００７６】
上記実施形態では、調光装置７は、第１レンズアレイ３２１と第２レンズアレイ３２２との間に配置されることとした。しかしながら、本発明は、これに限らない。例えば、第２レンズアレイ３２２の光出射側（Ｚ方向側）に配置されてもよい。すなわち、調光装置７の配置位置は、液晶パネル３５３に入射される光束を調光できれば、いずれの場所に配置されてもよい。
【００７７】
上記実施形態では、光学ユニット３は略Ｌ字状に構成されていたが、本発明はこれに限らない。例えば、略Ｕ字状に構成された光学ユニットを採用してもよい。
上記実施形態では、光束入射面と光束射出面とが異なる透過型の液晶パネル３５３を用いていたが、光入射面と光射出面とが同一となる反射型の液晶パネルを用いてもよい。
【００７８】
上記実施形態では、プロジェクター１は、３つの液晶パネル３５３を備えるとしたが、本発明はこれに限らない。すなわち、２つ以下、あるいは、４つ以上の液晶パネル３５３を用いたプロジェクターにも、本発明を適用可能である。
上記実施形態では、光入射面と光出射面とが異なる透過型の液晶パネル３５３を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００７９】
上記実施形態では、光源装置３１は、光源ランプ３１１と、当該光源ランプ３１１から出射された光を反射させるリフレクター３１２とを有する構成とした。しかしながら、本発明はこれに限らない。例えば、光源ランプの数は２つでもよく、２つ以上でもよい。また、光源装置３１は、光源ランプ３１１を有する構成に限らず、ＬＥＤ（Light Emitting Diode）やＬＤ（Laser Diode）等の固体光源を有する構成としてもよい。
【符号の説明】
【００８０】
１…プロジェクター、３１…光源装置、３６…投射光学装置、３５３…液晶パネル（光変調装置）、４１…受光部材、７…調光装置、７１…枠体、７１１…底面部（第１面部）、７１２…天面部（第２面部）、７１１１…開口部、７１２２…整流部、７６…整流部材（整流部）、７２…駆動部、７３，７４…遮光羽根、７３１，７４１…移動部（第１移動部及び第２移動部）、７３２，７４２…遮光部（第１遮光部及び第２遮光部）、７３２１，７４２１…遮光部本体、７３２２，７４２２…入射面、７３２３，７４２３…反射層、７３２４，７４２４…接続部、７３２５，７４２５…固定部、９…冷却装置、Ａｘ…照明光軸（光束の中心軸）、Ｇ２…隙間。
【図１】
2016148819.tif 000003
【図２】
2016148819.tif 000004
【図３】
2016148819.tif 000005
【図４】
2016148819.tif 000006
【図５】
2016148819.tif 000007
【図６】
2016148819.tif 000008
【図７】
2016148819.tif 000009
【図８】
2016148819.tif 000010
【図９】
2016148819.tif 000011
【図１０】
2016148819.tif 000012
【図１１】
2016148819.tif 000013
【図１２】
2016148819.tif 000014